(57)【要約】【課題】竿体の下側面にリールがぶら下がり状態に取り付けられ、竿体の上側面に二股状の掛止部材が配置され、この二股状の間に手を通して手首に二股状の部分を引っ掛けた状態とし、万一、釣り人が竿体から手を離しても掛止部材が手首に引っ掛かり釣竿が落下しないというものがある。本発明は、ハンドル部の上側面にリールを取り付け、ハンドル部の下側面にトリガを設けたものにおいて、トリガが齎す作用を保持しつつ、万一、釣り人がハンドル部から手を離しても釣竿が落下しない関係の釣竿用補助具及びそれを備えた釣竿を提供する。【解決手段】ハンドル部の上側面に魚釣り用リールを取り付け、ハンドル部の下側面にハンドル部を握る釣り人の手の指掛け用のトリガを有する釣竿用補助具であって、前記トリガの近傍の前記ハンドル部に取り付ける取り付け部材と、前記取り付け部材に連結され前記釣り人の手の前記トリガの前側に位置する所定の指が通る指通し用係止リングとを有すること。【選択図】図３
2019033724.tif 000002
【特許請求の範囲】
【請求項１】
ハンドル部の上側面に魚釣り用リールを取り付けるリール取り付け部を有し前記ハンドル部の下側面に前記ハンドル部を握る釣り人の手の指掛け用のトリガを有する釣竿の前記ハンドル部に取り付けるための釣竿用補助具であって、
前記釣竿用補助具は、前記トリガの近傍の前記ハンドル部に取り付ける取り付け部材と、前記取り付け部材に連結され前記トリガの前側に位置する前記釣り人の手の所定の指が通る指通し用係止リングとを有する、
ことを特徴とする釣竿用補助具。
【請求項２】
ハンドル部の上側面に魚釣り用リールを取り付けるリール取り付け部を有し前記ハンドル部の下側面に前記ハンドル部を握る釣り人の手の指掛け用のトリガを有する釣竿の前記ハンドル部に取り付けるための釣竿用補助具であって、
前記釣竿用補助具は、前記魚釣り用リールの後方で前記トリガの近傍の前記ハンドル部に取り付ける取り付け部材と、前記取り付け部材に連結され前記釣り人の手の前記トリガの前側に位置する所定の指が通る指通し用係止リングとを有する、
ことを特徴とする釣竿用補助具。
【請求項３】
前記取り付け部材が前記ハンドル部に取り付けられた状態で、前記指通し用係止リングの外周面が前記ハンドル部の外面に対面する状態となる、
ことを特徴とする請求項１または２に記載の釣竿用補助具。
【請求項４】
前記取り付け部材は前記ハンドル部に巻き付け可能なベルトで構成され、前記指通し用係止リングは前記釣り人の手の一本の指が通る大きさに柔軟性部材または弾力性部材で構成された、
ことを特徴とする請求項１乃至３のいずれかに記載の釣竿用補助具。
【請求項５】
前記取り付け部材は、前記ハンドル部に一巻きする長さを有し、前記ベルトは前記ハンドル部に巻き付けられた状態で相互対面する部分に押圧接合及び剥離可能な面ファスナー部を有する、
ことを特徴とする請求項１乃至４のいずれかに記載の釣竿用補助具。
【請求項６】
ハンドル部の上側面にリール取り付け部を有し前記ハンドル部の下側面に前記ハンドル部を握る釣り人の手の指掛け用のトリガを有し、前記リール取り付け部に両軸受け型リールを取り付ける釣竿において、
前記釣り人の手の前記トリガの前側に位置する所定の指が通る指通し用係止リングと、前記トリガの近傍の前記ハンドル部に着脱可能に巻き付ける取り付け部材とを有する釣竿用補助具を備えた、
ことを特徴とする釣竿。
【発明の詳細な説明】
【技術分野】
【０００１】
本発明は、キャスティング、リトリーブ等の操作中の釣竿の落下防止のための釣竿用補助具及びそれを備えた釣竿に関する。
【背景技術】
【０００２】
釣り人が竿体乃至リールシートから手を離しても竿体の落下を防止するための釣竿用補助具及びそれを備えた釣竿がある（特許文献１）。
この特許文献１の技術は、竿体（元竿）１に設けたリールシート２の下側面に形成した載置面２ａにリールＲが、竿体１の下方へぶら下がり状態に取り付けられ、前記載置面２ａの周方向の反対側に掛止部材１０の本体部１１が位置するように掛止部材１０が配置されている。本体部１１は、竿体１の軸長方向に延びる二股状の部位を有している。
【０００３】
この状態で、釣り人は、この二股状の間に手を通して手首に二股状の本体部を引っ掛け、その手で竿体１のリールシート２付近をリールＲの脚部と共に把持する。
これによって、万一、釣り人が竿体１から手を離しても掛止部材１０が手首に引っ掛かるので釣竿は落下しない、というものである。
【先行技術文献】
【特許文献】
【０００４】
【特許文献１】特開２００５−１１７９３２
【発明の概要】
【発明が解決しようとする課題】
【０００５】
特許文献１のものは、竿体（元竿）１に設けたリールシート２の下側面に形成した載置面２ａに、リールＲが竿体１の下方へぶら下がり状態に取り付けられ、前記載置面２ａの周方向の反対側に掛止部材１０の本体部１１が位置するように掛止部材１０が配置されており、釣り人は、竿体（元竿）１の上方から掛止部材１０へ手を通し、竿体（元竿）１を上方から握る方式である。
このため、特許文献１の方式は、図示されたようにスピニングリールをぶら下げ取り付ける場合に適するが、竿体に設けたリールシートの上面に形成した載置面にリールを取り付ける、所謂両軸受け型リールを採用するものには適用できない。
【０００６】
また、釣りの最中にリールからライン（釣り糸）が殆んど全て引き出されている状態において、大きな魚が掛かったときや根がかりしたとき、釣り人は手に急に大きな力を受ける可能性がある。その場合、危険を回避するために釣竿から手を離す方がよい場合がある。
しかし特許文献１のものは、二股状の間に手を通して手首に二股状の本体部を引っ掛け、その手の親指と他の４本の指で竿体１のリールシート２付近をリールＲの脚部と共に把持する方式であるため、万一、釣り人がハンドル部１から手を離しても、掛止部材１０が手首に引っ掛かるので釣竿は落下しない、という記載であるから、手首に大きな力が掛かり続け、怪我する虞が懸念される。
【０００７】
また、特許文献１の方式は、掛止部材１０が竿体（元竿）１の上方へ突出する状態となり、掛止部材１０を外さない限り、釣り場を移動するとき等において邪魔である。
【０００８】
本発明は、このような点に鑑み、釣り人が釣竿のハンドル部から手を離しても釣竿が落下しないための技術として、特許文献１の方式とは異なる方式の釣竿用補助具及びそれを備えた釣竿を提供する。
【０００９】
本発明は、特に、釣竿の上面側に形成したリール取り付け部に魚釣り用リールを取り付けるものに適用して効果ある技術を提供する。
このため、本発明は、釣竿のハンドル部に設けたリールシートの上面に形成したリール取り付け部に両軸受け型リールを取り付ける形態に適する技術を提供する。
【００１０】
また、本発明は、釣竿のハンドル部の上側面、即ちハンドル部に設けたリールシートの上面に魚釣り用リールを取り付けるリール取り付け部を有し、ハンドル部の下側面にハンドル部を握る釣り人の手の指掛け用のトリガを有する釣竿において、このトリガが齎す作用を保ちつつ、万一、釣り人がハンドル部から手を離しても釣竿が落下しない関係の釣竿用補助具及びそれを備えた釣竿を提供する。
【００１１】
この目的達成のため、ハンドル部の上側面に魚釣り用リールを取り付けるリール取り付け部を有しハンドル部の下側面にハンドル部を握る釣り人の手の指掛け用のトリガを有する釣竿に取り付ける釣竿用補助具として、トリガの近傍のハンドル部に取り付ける取り付け部材と、この取り付け部材に連結されトリガの前側に位置する釣り人の手の所定の指が通る指通し用係止リングとを有する構成とする。
【課題を解決するための手段】
【００１２】
第１発明は、
ハンドル部の上側面に魚釣り用リールを取り付けるリール取り付け部を有し前記ハンドル部の下側面に前記ハンドル部を握る釣り人の手の指掛け用のトリガを有する釣竿の前記ハンドル部に取り付けるための釣竿用補助具であって、
前記釣竿用補助具は、前記トリガの近傍の前記ハンドル部に取り付ける取り付け部材と、前記取り付け部材に連結され前記トリガの前側に位置する前記釣り人の手の所定の指が通る指通し用係止リングとを有する、
ことを特徴とする。
【００１３】
第２発明は、
ハンドル部の上側面に魚釣り用リールを取り付けるリール取り付け部を有し前記ハンドル部の下側面に前記ハンドル部を握る釣り人の手の指掛け用のトリガを有する釣竿の前記ハンドル部に取り付けるための釣竿用補助具であって、
前記釣竿用補助具は、前記魚釣り用リールの後方で前記トリガの近傍の前記ハンドル部に取り付ける取り付け部材と、前記取り付け部材に連結され前記釣り人の手の前記トリガの前側に位置する所定の指が通る指通し用係止リングとを有する、
ことを特徴とする。
【００１４】
第３発明は、第１発明または第２発明において、
前記釣竿用補助具は、前記取り付け部材が前記ハンドル部に取り付けられた状態で、前記指通し用係止リングの外周面が前記ハンドル部の外面に対面する状態となる、
ことを特徴とする。
【００１５】
第４発明は、第１発明乃至第３発明のいずれかにおいて、
前記取り付け部材は前記ハンドル部に巻き付け可能なベルトで構成され、前記指通し用係止リングは前記釣り人の手の一本の指が通る大きさに柔軟性部材または弾力性部材で構成された、
ことを特徴とする。
【００１６】
第５発明は、第１発明乃至第４発明のいずれかにおいて、
前記取り付け部材は、前記ハンドル部に一巻きする長さを有し、前記ベルトは前記ハンドル部に巻き付けられた状態で相互対面する部分に押圧接合及び剥離可能な面ファスナー部を有する、
ことを特徴とする。
【００１７】
第６発明は、
ハンドル部の上側面にリール取り付け部を有し前記ハンドル部の下側面に前記ハンドル部を握る釣り人の手の指掛け用のトリガを有し、前記リール取り付け部に両軸受け型リールを取り付ける釣竿において、
前記釣り人の手の前記トリガの前側に位置する所定の指が通る指通し用係止リングと、前記トリガの近傍の前記ハンドル部に着脱可能に巻き付ける取り付け部材とを有する釣竿用補助具を備えた、
ことを特徴とする。
【発明の効果】
【００１８】
本発明の釣竿用補助具は、トリガの近傍のハンドル部に取り付ける取り付け部材と、取り付け部材に連結され釣り人の手のトリガの前側に位置する所定の指が通る指通し用係止リングとを有する。
このため、ハンドル部の上側面に魚釣り用リールを取り付ける形態の釣竿において、釣り人の手から釣竿が外れたときの釣竿の落下を防止できると共に、トリガを利用した釣りの操作が阻害されることなく行えるものとなる。
【００１９】
また本発明は、釣竿用補助具を釣竿に着脱可能とし、指通し用係止リングの内径の異なるものを用意することによって、釣り人の指に適した大きさの指通し用係止リングが選択可能となり、釣り人の好みに合わせることができる。
【００２０】
また、指通し用係止リング自体の柔軟性や弾力性によって、指通し用係止リングへ挿通した指が受ける感触が柔らかく、釣りを行う際に釣竿を通して手に感じる微妙な感覚を保つことができ、指通し用係止リングに挿通した指をトリガに引っ掛けて行うキャスティング、リトリーブ等の操作が円滑に行えるものとなる。
【００２１】
また、ベルトがハンドル部に巻き付けられた状態でベルトの相互対面する部分に結合及び剥離可能な面ファスナー部を設けた構成とし、指通し用係止リングを弾力性部材で構成することによって、大きな魚が掛かったときや根がかりによって釣り人の手から釣竿が外れたとき、面ファスナー部の剥離によって釣竿用補助具が釣竿から外れるか、または指通し用係止リングの弾力性によって指通し用係止リングから指が外れることによって、釣り人の怪我を防止できるものとなる。
【図面の簡単な説明】
【００２２】
【図１】本発明に係る釣竿用補助具を取り付けた釣竿を釣り人が把持した状態の左側面視の説明図である。
【図２】本発明に係る釣竿に両軸受け型リールを取り付けた状態の上面視の説明図である。
【図３】本発明に係る釣竿用補助具と両軸受け型リールを取り付けた釣竿を釣り人が把持した状態の右側面視の説明図である。
【図４】本発明に係る釣竿用補助具の全体を斜視図で示す説明図である。
【図５】他の実施形態を示しており、本発明に係る釣竿用補助具と両軸受け型リールを取り付けた釣竿を釣り人が把持した状態の左側面視の説明図である。
【発明を実施するための形態】
【００２３】
本発明は、ハンドル部の上側面に魚釣り用リールを取り付けるリール取り付け部を有し前記ハンドル部の下側面に前記ハンドル部を握る釣り人の手の指掛け用のトリガを有する釣竿の前記ハンドル部に取り付けるための釣竿用補助具であって、前記釣竿用補助具は、前記トリガの近傍の前記ハンドル部に取り付ける取り付け部材と、前記取り付け部材に連結され前記釣り人の手の前記トリガの前側に位置する所定の指が通る指通し用係止リングとを有する。
また、本発明は、ハンドル部の上側面にリール取り付け部を有し前記ハンドル部の下側面に前記ハンドル部を握る釣り人の手の指掛け用のトリガを有し、前記リール取り付け部に両軸受け型リールを取り付ける釣竿において、前記釣り人の手の前記トリガの前側に位置する所定の指が通る指通し用係止リングと、前記トリガの近傍の前記ハンドル部に巻き付ける取り付け部材とを有する釣竿用補助具を備えた構成である。
以下にその実施例を記載する。
【実施例】
【００２４】
魚釣り用の釣竿１は種々あるが、その中での一つとして、疑似餌としてのルアーを用いてキャスティング等を行う形態の釣竿１を図１に示している。
図１において、釣竿１は、ハンドル部２とその先端部に結合される竿体３で構成される。
ハンドル部２は、上面側に魚釣り用リール５０を取り付けるリール取り付け部４を有し、下側面にハンドル部２を握る釣り人の手ＰＨの指掛け用のトリガ５を有する。このためハンドル部２は、釣り人が一方の手で握る握り部２Ａと、握り部２Ａの先端側にリール取り付け部４を有するリールシート２Ｂを備えている。リールシート２Ｂは、合成樹脂や軽金属等によって前後方向に長い略円筒形状に形成される。
【００２５】
本発明に好適な形態の魚釣り用リール５０は、例えば、出願人の出願に係る特開２０１６−２２０６８９等に開示されるように、公知の両軸受け型リール５０である。図２に示すものは、特開２０１６−２２０６８９に開示されるものと同様に、両軸受け型リール５０の一種であるレバードラグ式リールと称される形態であり、釣り人が回転操作する回転ハンドル５１と、回転ハンドル５１がハンドルアーム５１Ａを介して回転可能に取り付けられた本体部５２と、本体部５２の下側に前後方向に延出した取り付け脚部５３を備える。本体部５２は、連結部５４Ｃで連結された左右一対の側板５４Ａ、５４Ｂと、側板５４Ａ、５４Ｂに亘って配置された支持軸に回転可能に支持され釣り糸７０を巻き上げるスプール５５と、右側板５４Ｂに取り付けられた第１カバー５６内に収容され回転ハンドル５１の回転をスプール５５へ伝達する歯車機構５７と、釣り糸７０の繰り出しに伴って回転するスプール５５にドラグ力（制動力）を付与するためのドラグ機構５８等を備えている。ドラグ機構５８はドラグ力を手動調節するためのドラグレバー５８Ａが右側板５４Ｂの上側に前後方向に回動可能に配置されている。
【００２６】
リール取り付け部４は、リールシート２Ｂの上面側に前後方向に形成され、両軸受け型リール５０の取り付け脚部５３を載置するリール載置面４１と、リール載置面４１と対向して前後に分離してそれぞれ取り付け脚部５３の前端部５３Ａと後端部５３Ｂを係止する可動係止部４２Ａと固定係止部４２Ｂとを備える。固定係止部４２Ｂは、リール載置面４１上に前方へ開いた挿入開口を有する。可動係止部４２Ａは、リールシート２Ｂのネジ部４３に回転可能に設けたナット部材４４と、ナット部材４４の正回転・逆回転に伴って前進・後退する可動係止体４５を備える。可動係止部４２Ａは可動係止体４５の上端部に形成される。
【００２７】
ナット部材４４の逆回転に伴って可動係止体４５を前進位置へ後退移動させた状態で、取り付け脚部５３をリール載置面４１に載置し、取り付け脚部５３をリール載置面４１に沿って後退させ、取り付け脚部５３の後端部５３Ｂを固定係止部４２Ｂへ挿入開口から挿入する。その状態でナット部材４４の正回転によって可動係止体４５を後退させ、取り付け脚部５３の前端部５３Ａを可動係止体４５の可動係止部４２Ａが覆う状態で、可動係止体４５によって取り付け脚部５３の前端部５３Ａが係止される。これによって、取り付け脚部５３の前端部５３Ａ及び後端部５３Ｂがリール載置面４１に載った状態において、両軸受け型リール５０はリールシート２Ｂの上面側のリール取り付け部４に固定状態に取り付けられる。
【００２８】
トリガ５は、握り部２Ａまたはリールシート２Ｂのいずれに設けてもよいが、実施例では、リールシート２Ｂと一体成型によって形成している。
トリガ５は、釣り人がその手で握り部２Ａをしっかり把持した状態で、その手の指をトリガ５に掛けて、キャスティング、リトリーブ、サミング等の操作が確実に行えるようにするものであり、トリガ５を、握り部２Ａを握る方の手ＰＨの人差し指と中指で挟んだ状態、または中指と薬指で挟んだ状態、または、薬指と小指で挟んだ状態で、握り部２Ａを把持する。このため、トリガ５は、両軸受け型リール５０の取り付け脚部５３よりも後方位置となるハンドル部２の下側面に設けられる。
上記操作に適するように、リールシート２Ｂは下側面の形状及びトリガ５の形状に留意して良好な形状に定められ、トリガ５は若干前方へ向けて傾斜するように下方へ延出している。
【００２９】
図示の両軸受け型リール５０は右ハンドル式であるため、釣り人は左手ＰＨで握り部２Ａを把持し、その手の指でトリガ５を挟み、その手の親指で両軸受け型リール５０の上面を抑えるかドラグレバー５８Ａを操作する。
両軸受け型リール５０は左ハンドル式であっても同様であり、左ハンドル式の場合は、回転ハンドル５１が本体部５２の左側に配置され、釣り人が左手で回転ハンドル５１を操作する。このため、釣り人は右手で握り部２Ａを把持し、その手の指でトリガ５を挟み、その手の親指で両軸受け型リール５０の上面を抑えるかドラグレバー５８Ａを操作する。
【００３０】
ハンドル部２の先端部に結合される竿体３は、釣り糸７０を挿通するためのガイドリング７１が、竿体３の上面に先端に向かって間隔を存して配置されている。両軸受け型リール５０のスプール５５に巻回された釣り糸７０は、ガイドリング７１に挿通されて竿体３の前端部から延び、釣り糸７０の先端部にルアーを含む仕掛けが取り付けられる。
【００３１】
本発明は、キャスティング、リトリーブ等の操作中の釣竿１の落下防止のための釣竿用補助具２０及びそれを備えた釣竿１を提供する。
このため、釣竿用補助具２０は、ハンドル部２を握る釣り人の手ＰＨの所定の指が通る指通し用係止リング１０と、指通し用係止リング１０と連結され指通し用係止リング１０をハンドル部２に取り付ける取り付け部材１１とを有する。
指通し用係止リング１０は、ハンドル部２を握る釣り人の手ＰＨのトリガ５の前側に位置する指の１本または２本が通る構成でもよいが、好ましくは、指通し用係止リング１０は、ハンドル部２を握る釣り人の手ＰＨのトリガ５の前側に掛かる１本の指が通る構成である。
【００３２】
また、取り付け部材１１は、トリガ５の近傍においてハンドル部２に取り付けられる。取り付け部材１１が取り付けられる好ましい取り付け位置は、魚釣り用リール５０の後方でトリガ５の近傍であり、具体的には、トリガ５と両軸受け型リール５０との間のハンドル部２である。
取り付け部材１１はハンドル部２に着脱自在に巻き付け保持されるベルト１１Ａで構成され、指通し用係止リング１０はハンドル部２を握る釣り人の方の手の一本の指が通る大きさに柔軟性部材で構成される。指通し用係止リング１０を構成する柔軟性部材は、耐水性に優れ、指との感触に優れたものがよい。その一つとして、シリコンゴム等のように耐水性に優れた弾力性部材で構成することができる。
【００３３】
図４に示すように、取り付け部材１１は、ハンドル部２に着脱自在に巻き付け保持されるベルト１１Ａで構成され、耐水性に優れた合成樹脂製で構成される。そして、ベルト１１Ａがハンドル部２に巻き付けられた状態で、相互対面する部分に押圧接合及び剥離可能な面ファスナー部１２、１２を有する。
面ファスナー部１２、１２のうち一方の面ファスナー部１２は、合成樹脂製のベルト１１Ａ自体にまたは合成樹脂製のベルト１１Ａに接着された合成樹脂製布材に、多数のフック状起毛が形成された構成であり、同様に、他方の面ファスナー部１２は、合成樹脂製のベルト１１Ａ自体にまたは合成樹脂製のベルト１１Ａに接着された合成樹脂製布材に、多数のループ状起毛が形成された構成である。この面ファスナー部１２、１２相互が重なり合った状態で、押圧によって前記フック状起毛と前記ループ状起毛が係合して、両面ファスナー部１２、１２相互が接合される。また、面ファスナー部１２、１２相互の接合部を引き剥がすことにより、この接合状態を解除できる。
【００３４】
ハンドル部２への釣竿用補助具２０の取付け形態は、指通し用係止リング１０の外周面がハンドル部２の外面に対面する状態に配置され、この状態で両軸受け型リール５０の後ろ側でトリガ５との間の範囲において取り付け部材１１をハンドル部２に巻き付け取り付ける。
実施例では、指通し用係止リング１０の外周面１０Ａの一部がハンドル部２のリールシート２Ｂの外面の一部に対面する状態に配置され、この状態で両軸受け型リール５０の取り付け脚部５３とトリガ５との間の範囲において、ベルト１１Ａをハンドル部２のリールシート２Ｂに巻きつけ、その状態で面ファスナー部１２相互を押圧接合することによりハンドル部２への取り付けができる。
【００３５】
その場合の好ましい一つの形態として、ハンドル部２への指通し用係止リング１０の配置は、図１及び図３に示すように、ハンドル部２を握る釣り人の手ＰＨのトリガ５の前側に掛かる１本の指が通るように、トリガ５の前側に指通し用係止リング１０が配置される。その場合、トリガ５の前面とトリガ５の前面側のリールシート２Ｂの下側面とに指通し用係止リング１０の外周面が対面する状態に配置される。この状態で両軸受け型リール５０の直ぐ後ろ側でトリガ５との間の範囲において、ベルト１１Ａをハンドル部２のリールシート２Ｂに巻きつけ、その状態で面ファスナー部１２相互を押圧接合することによりハンドル部２へ釣竿用補助具２０が取り付けられる。
【００３６】
この場合、指通し用係止リング１０は、トリガ５の前側に配置されるが、指通し用係止リング１０がリールシート２Ｂからはみ出さないようにするために、指通し用係止リング１０の左右幅をリールシート２Ｂの左右厚さ（円筒形であれば直径）以下である方がよい。
【００３７】
また、ハンドル部２を握る手ＰＨの指を深く指通し用係止リング１０に挿通する釣り人に対して適応するための好ましい他の形態として、図５に示すように、トリガ５の前側位置において、指通し用係止リング１０の外周面１０Ａがハンドル部２の側面、即ちリールシート２Ｂの側面に対面する状態に配置される状態とする。この状態を保つように、両軸受け型リール５０の直ぐ後ろ側でトリガ５との間の範囲において、ベルト１１Ａをハンドル部２のリールシート２Ｂに巻きつけ、その状態で面ファスナー部１２相互を押圧接合することによりハンドル部２へ釣竿用補助具２０が取り付けられる。
これによって、ハンドル部２を握る釣り人の手ＰＨのトリガ５の前側に掛かる１本の指は、指通し用係止リング１０に挿通する指の第２関節とその指の付け根部分の間の部分が指通し用係止リング１０に係止する。
【００３８】
釣竿用補助具２０のハンドル部２への取り付け状態の調節や取り外しを行う場合には、面ファスナー部１２、１２相互の接合部を引き剥がすことにより、それを達成できる。
【００３９】
ベルト１１Ａは、リールシート２Ｂに複数回の巻きつけができる長さでもよいが、ハンドル部２への取り付けの容易さを考慮すれば、リールシート２Ｂに一巻きで取り付ける長さがよい。
【００４０】
上記のように両軸受け型リール５０及び釣竿用補助具２０が釣竿１に取り付けられた状態において、釣り人は握り部２Ａを把持する左手ＰＨの親指を除く他の指、即ち人差し指、中指または薬指のいずれか一つを指通し用係止リング１０に挿通し、その状態で握り部２Ａを把持する。
図１及び図３に示す実施形態では、握り部２Ａを把持する左手ＰＨの中指を指通し用係止リング１０に挿通し、中指の第１関節Ｆ１と第２関節Ｆ２の間が指通し用係止リング１０に係止する。また、親指が両軸受け型リール５０の上面を抑えるかドラグレバー５４を操作する状態とし、指通し用係止リング１０に挿通した中指がトリガ５の前側で指通し用係止リング１０を介してトリガ５に掛かり、トリガ５の後ろ側に薬指が位置する状態にて、人差し指と小指を含む左手によって握り部２Ａを把持する。
【００４１】
また、図５に示す実施形態では、握り部２Ａを把持する左手ＰＨの中指を指通し用係止リング１０に深く挿通し、中指の第２関節Ｆ２とその指の付け根部分の間の部分が指通し用係止リング１０に係止する。そして、親指が両軸受け型リール５０の上面を抑えるかドラグレバー５４を操作する状態とし、指通し用係止リング１０に挿通した中指の第１関節Ｆ１から第２関節Ｆ２の部分がトリガ５の前側でトリガ５に掛かり、トリガ５の後ろ側に薬指が位置する状態にて、人差し指と小指を含む左手によって握り部２Ａを把持する。
【００４２】
このように、指通し用係止リング１０の外周面１０Ａがハンドル部２のリールシート２Ｂの外面に対面する状態に配置されるが、指通し用係止リング１０自体の柔軟性や弾力性によって、指通し用係止リング１０へ挿通した指が受ける感触が柔らかく、釣りを行う際に釣竿１を通して手ＰＨに感じる微妙な感覚を保つことができると共に、トリガ５を利用した釣りの操作が阻害されることなく円滑に行えるものとなる。
【００４３】
また、両軸受け型リール５０の直ぐ後ろ側でトリガ５との間の範囲において取り付け部材１１をハンドル部２（リールシート２Ｂ部分）に巻き付け取り付けることにより、釣竿用補助具２０の取付け位置がハンドル部２上において大きく移動することがなく、トリガ５を利用した釣りの操作が安定する。
【００４４】
上記のように、本発明の釣竿用補助具２０は、トリガ５の近傍のハンドル部２に取り付ける取り付け部材１１と、取り付け部材１１に連結され釣り人の手のトリガ５の前側に位置する所定の指が通る指通し用係止リング１０とを有する。
このため、ハンドル部２の上側面に魚釣り用リール５０を取り付ける形態の釣竿１において、釣り人の手から釣竿１が外れたときの釣竿１の落下を防止できると共に、通常通りトリガ５を利用した釣りの操作が阻害されることなく行えるものとなる。
【００４５】
具体的には、指通し用係止リング１０の外周面１０Ａがハンドル部２のリールシート２Ｂの外面に対面する状態に配置され、握り部２Ａを把持した状態において、キャスティング、リトリーブ等の操作中に釣竿１が万一釣り人の手ＰＨから離れた場合、指通し用係止リング１０に挿通した指によって指通し用係止リング１０が保持され、ベルト１１Ａを介して釣竿１は落下途中に保持され、それ以上に釣竿１が釣り人の手ＰＨから外れ落下することが免れる。
【００４６】
万一大きな魚が掛かったときや根がかりによって、釣竿１を通して釣り人の手ＰＨに強い力がかかったとき、釣り人の手を保護するためには、その釣り人の手ＰＨから釣竿１が外れる状態にすることが好ましい。
その一つの構成として、指通し用係止リング１０を弾力性部材で構成することによって、そのような強い力が作用したとき、指通し用係止リング１０が伸長して挿通した指から指通し用係止リング１０が外れるように構成することができる。
【００４７】
また、ベルト１１Ａがハンドル部２に巻き付けられた状態でベルト１１Ａの相互対面する部分に結合及び剥離可能な面ファスナー部１２を設けた構成とし、指通し用係止リング１０を弾力性部材で構成することによって、大きな魚が掛かったときや根がかりによって、釣竿１を通して釣り人の手ＰＨに強い力がかかり釣り人の手から釣竿１が外れたとき、面ファスナー部１２の剥離によって釣竿用補助具２０が釣竿１から外れるか、または指通し用係止リング１０の弾力性によって指通し用係止リング１０から指が外れることによって、釣り人の怪我を防止できるものとなる。
【００４８】
また、大きな魚が掛かったときや根がかりによって、釣竿１を通して釣り人の手ＰＨに強い力がかかったとき、その釣り人の手ＰＨから釣竿１が外れるようにして、釣り人の手を保護するためには、ベルト１１Ａはリールシート２Ｂに一巻きで取り付ける長さとし、面ファスナー部１２の相互接合部が剥離することにより、ベルト１１Ａがハンドル部２から外れるように構成することができる。
【００４９】
指通し用係止リング１０は、柔軟性部材で構成し、特に弾力性部材で構成することによって、トリガ５を指で挟んでキャスティング、リトリーブ、サミング等の操作を行う場合、その操作を円滑に行えるものとなる。
【００５０】
トリガ５の前側に指通し用係止リング１０が配置されることにより、指通し用係止リング１０を介してトリガ５に指を引っ掛けてトリガ５を利用した操作を行う際に、指通し用係止リング１０がハンドル部２の軸方向にずれることなく所定の操作を安定して行うことができる。
そして、万一、釣り人がハンドル部２から手を離しても、指通し用係止リング１０に挿通した指によって釣竿１を落下の途中で保持できるものとなる。
【００５１】
また、釣竿用補助具２０の取り付け位置が、魚釣り用リール５０の後方でトリガ５の近傍のハンドル部２であることによって、ハンドル部２を握る手の邪魔にならず、釣りを行う際に釣竿１を通して手に感じる微妙な感覚を保つことができる。
【００５２】
また、指通し用係止リング１０自体の柔軟性や弾力性によって、指通し用係止リング１０へ挿通した指が受ける感触が柔らかく、釣りを行う際に釣竿１を通して手に感じる微妙な感覚を保つことができることとなる。
また、指通し用係止リング１０に挿通する指が取り付け部材１１に接触した時の感触を和らげるためには、取り付け部材１１となるベルト１１Ａを耐水性のある柔軟性部材やシリコンゴムのような弾力性部材で形成することにより、達成できる。
【００５３】
または、釣竿用補助具２０を釣竿１に着脱可能とし、指通し用係止リング１０の内径の異なるものを用意することによって、釣り人の指に適した大きさの指通し用係止リング１０が選択可能となり、釣り人の好みに合わせることができる。
【００５４】
本発明に係る両軸受け型リール５０は、図示のものは、釣り人が右手で回転ハンドル５１を操作する右ハンドル式であるが、釣り人が左手で回転ハンドル５１を操作する左ハンドル式の両軸受け型リール５０であってもよい。
【００５５】
本発明は上記の実施例に限定されず、本発明の範囲を逸脱しない範囲で、種々の実施形態に適用できるものである。このため、ハンドル部２の上側面に魚釣り用リールを取り付ける形態であれば、魚釣り用リールが両軸受け型リール５０に限らず他の形態のリールであってもよく、また、釣竿１は、ワンピースロッドに限らず、継竿や振出竿等、各種の釣竿に適用できるものである。
【符号の説明】
【００５６】
１・・・・・・・釣竿
２・・・・・・・ハンドル部
２Ａ・・・・・・握り部
２Ｂ・・・・・・リールシート
３・・・・・・・竿体
４・・・・・・・リール取り付け部
５・・・・・・・トリガ
１０・・・・・・指通し用係止リング
１０Ａ・・・・・指通し用係止リングの外周面
１１・・・・・・取り付け部材
１１Ａ・・・・・ベルト
１２・・・・・・面ファスナー部
２０・・・・・・釣竿用補助具
４１・・・・・・リール載置面
４２Ａ・・・・・可動係止部
４２Ｂ・・・・・固定係止部
４４・・・・・・ナット部材
４５・・・・・・可動係止体
５０・・・・・・魚釣り用リール（両軸受け型リール）
５１・・・・・・回転ハンドル
５３・・・・・・取り付け脚部
５３Ａ・・・・・取り付け脚部の前端部
５３Ｂ・・・・・取り付け脚部の後端部
【図１】
2019033724.tif 000003
【図２】
2019033724.tif 000004
【図３】
2019033724.tif 000005
【図４】
2019033724.tif 000006
【図５】
2019033724.tif 000007